(57)【要約】【課題】  釣り餌を、力を要さず容易に押し出しすことができて、かつ、耐久性を有し、しかも、簡易でコンパクトな構成であるので釣り場に於て邪魔にならず、釣り場の状況や釣る際の姿勢に応じて、釣り餌を手に取り易くするように配置できる釣り餌押出器を提供することを目的とする。【解決手段】  雌ネジ部12を開口内周端面11に有する有底外筒体１と、外筒体１の底壁部13に立設されたシール32付きピストン３と、雌ネジ部12に螺合する雄ネジ部22を外周面21に有して外筒体１内へ螺進退自在に挿入可能である釣り餌収納用内筒体２と、を具備する。釣り餌収納用内筒体２は、先端に、釣り餌Ｕを吐出する孔を有し、ピストン３のシール32が内周面23に接触する。また、ピストン３は、外筒体１に対して回転自在として、内筒体２の螺進退時に内筒体２と共廻りして内周面23に沿って摺動しつつ進退するように構成されている。【選択図】  図２
2005304313.tif 000002
【特許請求の範囲】
【請求項１】
雌ネジ部（12）を開口内周端面（11）に有する有底外筒体（１）と、該外筒体（１）の底壁部（13）に立設されたシール（32）付きピストン（３）と、上記雌ネジ部（12）に螺合する雄ネジ部（22）を外周面（21）に有して上記外筒体（１）内へ螺進退自在に挿入可能であると共に先端に釣り餌（Ｕ）を吐出する孔（15）を有し上記ピストン（３）のシール（32）が内周面（23）に接触する釣り餌収納用内筒体（２）と、を具備することを特徴とする釣り餌押出器。
【請求項２】
上記ピストン（３）は、上記外筒体（１）に対して回転自在として、上記内筒体（２）の螺進退時に該内筒体（２）と共廻りして上記内周面（23）に沿って摺動しつつ進退するように構成された請求項１記載の釣り餌押出器。
【請求項３】
上記ピストン（３）は、シール（32）を有するピストン本体（30）と、ピストン軸部（33）とを、一体状に有し、かつ、該ピストン軸部（33）が、摩擦力低減部材（９）を介して、上記外筒体（１）の底壁部（13）の孔部（13ａ）に、回転自在に取り付けられた請求項２記載の釣り餌押出器。
【請求項４】
上記内筒体（２）が、先端に、キャップ部（２Ｂ）を有すると共に、大小異なる内径（Ｄ）のノズル孔（40）を有する一揃えのノズル部材（４）を、着脱交換自在として上記キャップ部（２Ｂ）に取り付けた請求項１，２又は３記載の釣り餌押出器。
【発明の詳細な説明】
【技術分野】
【０００１】
本発明は、へら鮒等の魚釣りにおいて、練り餌を押し出す（搾り出す）釣り餌押出器に関するものである。
【背景技術】
【０００２】
従来、釣り餌（うどん）を押し出して使用する装置として、内部に釣り餌が充填される外筒体が立設され、釣り餌を上方へ押すための押出胴が、上下摺動可能として外筒体の内部に嵌入され、この押出胴の下方に支承板が摺接され、さらに、支承板に固定された可動ブラケットに、てこ棒の作用点の部位が枢着されたものが知られている（例えば、特許文献１参照）。
このてこ棒を把持し力を加えると、てこの原理により、押出胴が支承板によって上方へ押し上げられ、外筒体の上部に設けられたノズル部から、釣り餌が押し出されるよう構成されている。
【特許文献１】特開平７−２８９１３１号公報
【発明の開示】
【発明が解決しようとする課題】
【０００３】
この従来の釣り餌押出器は、外筒体、てこ棒、それらを保持するための基台等、多くの部材から成るので構造が複雑であり、釣り場に於ては、邪魔になる。しかも、可動ブラケットとてこ棒の作用点の枢着部に、大きな力が掛かるので、壊れ易い。
また、押出胴が昇降する際に、支承板から押出胴への上向きの力の掛かり方が均一ではないので、押出胴は安定してスムースに昇降しない。
また、床等の上に載置されて、釣り餌を上方へのみ吐出する構造なので、釣り場の状況や釣る際の姿勢に応じて、釣り餌を手に取り易く配置することができない。
【０００４】
そこで、本発明は、釣り餌を、力を要さず容易に押し出すことができて、かつ、耐久性を有し、しかも、簡易でコンパクトな構成であるので釣り場に於て邪魔にならず、釣り場の状況や釣る際の姿勢に応じて、釣り餌を手に取り易くするように配置できる釣り餌押出器を提供することを目的とする。
【課題を解決するための手段】
【０００５】
上記の目的を達成するために、本発明に係る釣り餌押出器は、雌ネジ部を開口内周端面に有する有底外筒体と、該外筒体の底壁部に立設されたシール付きピストンと、上記雌ネジ部に螺合する雄ネジ部を外周面に有して上記外筒体内へ螺進退自在に挿入可能であると共に先端に釣り餌を吐出する孔を有し上記ピストンのシールが内周面に接触する釣り餌収納用内筒体と、を具備する。
【０００６】
また、上記ピストンは、上記外筒体に対して回転自在として、上記内筒体の螺進退時に該内筒体と共廻りして上記内周面に沿って摺動しつつ進退するように構成されたものである。
そして、上記ピストンは、シールを有するピストン本体と、ピストン軸部とを、一体状に有し、かつ、該ピストン軸部が、摩擦力低減部材を介して、上記外筒体の底壁部の孔部に、回転自在に取り付けられている。
【０００７】
また、上記内筒体が、先端に、キャップ部を有すると共に、大小異なる内径のノズル孔を有する一揃えのノズル部材を、着脱交換自在として上記キャップ部に取り付けたものである。
【発明の効果】
【０００８】
本発明は、次のような著大な効果を奏する。
コンパクトな大きさ・形状なので、釣り場で邪魔にならず、釣り場の状況や釣る際の姿勢に応じて、釣り餌を手に取り易くするように配置できる。
また、外筒体に、内筒体を螺合する構成なので、力を要さずにスムースに回転して釣り餌を押し出すことができる。しかも、耐久性を有する構造なので、繰り返して使用しても、劣化せず、スムースな回転で使用し続けられる。
また、釣り餌は、内筒体の内周面とピストンの先端側とで形成される密閉空間内に保持されるので、外部の空気と光が入り込みにくく、長時間、変質するのを防ぐことができる。
【発明を実施するための最良の形態】
【０００９】
以下、実施の形態を示す図面に基づき、本発明を詳説する。
図１，図２，図３，図４及び図５に於て、本発明に係る釣り餌押出器は、雌ネジ部12を開口内周端面11に有する有底外筒体１と、雌ネジ部12に螺合する雄ネジ部22を外周面21に有して外筒体１内へ螺進退自在に挿入可能である釣り餌収納用内筒体２と、外筒体１の底壁部13に立設され内筒体２の内周面23に接触するシール32を有するピストン３と、を具備する。
【００１０】
具体的には、外筒体１は、底壁部13の基端側に設けられ（後述の）カバー部材51が着脱自在として包囲状に取り付けられる短円筒状嵌込部17を、備える。
この短円筒状嵌込部17の外周面は、取り付けられたカバー部材51が不意に外れないように、基端側に緩やかにテーパ状に拡がって形成されると共に、嵌込部17の基端面に、カバー部材51と（後述の）取付部材52を取り付けた後で固定するためビス等に螺合される雌ネジ孔17ａ…を、有する。
かつ、外筒体１は、その底壁部13の中央に、（後述する）ピストン軸部33の基端側の差込部33ａが回転自在として挿入される孔部13ａを、有する。
また、外筒体１は、外周面の先端と基端の中間に、内筒体２を螺合する際把持される滑り防止用の凹凸部（ローレット部）14が、形成される。
外筒体１は、防蝕性を有するアルミ材から成る。あるいは、アルミとステンレス等の複合材から成る。
また、外筒体１の雌ネジ部12に、フッ素樹脂コーティングをして、雌ネジ部12に防錆性を備えさせると共に、耐摩耗性及び低摩擦性を備えさせる。あるいは、図示省略するが、外筒体１の内周面のうち開口内周端面11を拡径して形成し、この部位に、雌ネジ部12を形成したナイロンブッシュを、インサート取付し固着してもよい。
【００１１】
次に、内筒体２は、外周面21に雄ネジ部22が形成され内部７に釣り餌（うどん）Ｕが充填される円筒部２Ａと、円筒部２Ａの先端側を塞ぐように備えられた円盤状キャップ部２Ｂと、から成り、キャップ部２Ｂは、その先端側に、短円柱状雄ネジ部16を、突出状に有する。
また、キャップ部２Ｂの短円柱部25は、その外周面に、内筒体２を螺合する際に把持する滑り防止用の凹凸部（ローレット部）24が、形成される。この凹凸部24及び前記凹凸部14としては、ローレット加工にて形成したり、小さなギヤ状の凹凸を引抜材にて形成したり、又は、（アルミ）ダイキャスト成型としたり、樹脂の場合には射出や押出にてギヤ状の凹凸状に形成しても、よい。
かつ、雄ネジ部16及び短円柱部25は、釣り餌（うどん）Ｕを吐出するための孔15が、内筒体２の螺進退軸心方向に、貫設される。
また、短円柱部25の基端面25ａは、孔15の中心方向先端側へ、緩やかなテーパ状に、形成される。
円筒部２Ａの内周面23は、その基端側開口部に、拡径部23ａが形成され、ピストン３をスムースに嵌込可能である。
内筒体２は、例えば、ステンレス材から成形された円筒部２Ａと、アルミ材から成形されたキャップ部２Ｂとが、固着されて構成される。なお、内筒体２の内周面23と外周面21（雄ネジ部22）にフッ素樹脂被覆層（コーティング）を被覆するも（耐摩耗性向上及び低摩擦力のため）好ましい。
また、内筒体２の全体をアルミ製とした場合は、円筒部２Ａの内周面23に、防錆及び耐摩耗性を具備させるために、硬質酸化皮膜処理（アルマイト処理）を施すのが望ましい。
【００１２】
キャップ部２Ｂの雄ネジ部16は、大小異なる内径Ｄのノズル孔40を有する一揃えの筒状ノズル部材４…が、着脱交換自在として、択一的に取り付けられる（図３参照）。
具体的には、ノズル部材４は、その基端側の開口内周面41に、雄ネジ部16に螺合される雌ネジ部43が形成される。かつ、雌ネジ部43の先端側に、周状凹溝45が形成され、この周状凹溝45に、螺合された雄ネジ部16の先端が密接するシール42が、嵌入される。
また、ノズル部材４の先端側外周が、テーパ状に形成されると共に、ノズル部材４の円柱部の外周面に、雄ネジ部16に螺合される際に把持する滑り防止用のローレット部44が、形成される。
【００１３】
次に、ピストン３は、先端面31にて釣り餌Ｕを押し出すシール32付き円板状ピストン本体30と、ピストン本体30の基端側に延設される細長円柱状ピストン軸部33とを、一体状に有したものである。
ピストン本体30は、シール32に嵌入される周状凹溝34を、有する。  
また、ピストン軸部33は、基端側に、（後述の）摩擦力低減部材９を外筒体１の底壁部13とで挟む鍔部33ｂが形成されると共に、鍔部33ｂの基端側に、外筒体１の底壁部13の孔部13ａに挿入される短円柱状差込部33ａが、設けられる。差込部33ａは、その基端面に、皿ビス49等に螺合される雌ネジ孔18を、有する。
ノズル部材４とピストン３は、アルミ材等から成る。
【００１４】
48は、（座ぐり付き）平ワッシャである。この平ワッシャ48は、底壁部13の基端面13ｃ側に於て、底壁部13との間で、摩擦力低減部材９を挟み込むと共に、（底壁部13の孔部13ａに挿入された）ピストン軸部33の差込部33ａに当接される。
平ワッシャ48はアルミ材から成り、また、平ワッシャ48に挿入する皿ビス49は、ステンレス材から成るのが好ましい。また、摩擦力低減部材９は、薄型リング状であり、樹脂材等から成るのが好ましい。
また、カバー部材51は、嵌込部17が着脱自在に嵌入される嵌込窪部51ａを有する円盤形状で、ゴム等から成り弾力性と柔軟性を有する。
【００１５】
次に、上記の釣り餌押出器の使用方法（作用）について説明する。
図５に於て、ピストン軸部33の差込部33ａを、２枚の摩擦力低減部材９，９を介して、外筒体１の底壁部13の孔部13ａに挿入する。そして、底壁部13の基端面13ｃ側に於て、差込部33ａの基端面に、２枚の摩擦力低減部材９，９を介して平ワッシャ48を当接させ、皿ビス49等を、平ワッシャ48に挿入し、ピストン軸部33の差込部33ａの雌ネジ孔18に螺合する（図２の基端側参照）。
ピストン軸部33の差込部33ａの基端面と、平ワッシャ48が当接するので、ピストン軸部33の鍔部33ｂと平ワッシャ48との間に所定間隔が保たれ、底壁部13及び摩擦力低減部材９…が、鍔部33ｂと平ワッシャ48により強く挟まれるのを防がれ、ピストン軸部33は、外筒体１に対して、スムースに回転自在である。
そして、カバー部材51を、嵌込部17に包囲状に取り付ける。
【００１６】
また、ピストン軸部33の差込部33ａは、図２，図５に示すものを設計変更自在であり、、図６に示すような構成としてもよい。
具体的には、図６（ａ）に於て、差込部33ａは、基端面の中央に、径方向へ拡げるようにかしめるために、窪み状に形成されている。
この差込部33ａを、２枚の摩擦力低減部材９，９を介して底壁部13の孔部13ａに差し込む。そして、底壁部13の基端面13ｃ側に於て、差込部33ａに、２枚の摩擦力低減部材９，９と平ワッシャ46を外嵌した後で、差込部33ａをかしめて、図６（ｂ）の状態にする。図５で説明したと同様に、ピストン軸部33は、外筒体１に対して、スムースに回転自在である。
【００１７】
次に、図４に於て、内筒体２の円筒部２Ａの内部７に、基端側から釣り餌（うどん）Ｕを入れる。
そして、ピストン３のピストン本体30を、内筒体２の円筒部２Ａの内部７に挿入し、内周面23に沿って摺動させつつ、内筒体２の雄ネジ部22を、外筒体１の雌ネジ部12に螺合して、外筒体１内へ螺進させて、図１，図２の状態にする。
ピストン３を挿入させる際に、ピストン本体30を、内筒体２の円筒部２Ａの拡径部23ａからスムースに挿入することができる。
【００１８】
そして、外筒体１のローレット部14と、内筒体２のローレット部24を把持し、内筒体２を外筒体１内へ螺進させていくと、ピストン３は、シール32が内筒体２の円筒部２Ａの内周面23に摺動しつつ内筒体２と共廻りして、円筒部２Ａの内部７を先端方向へ進む。
このとき、釣り餌Ｕが、ピストン本体30の先端面31によって押され、ノズル部材４のノズル孔40から吐出される。
釣り餌Ｕは、ピストン本体30により押される際に、短円柱部25の基端面25ａのテーパ部によって、スムースに孔15内へガイドされる。
そして、ピストン本体30の先端面31が基端面25ａに当接するまで、内筒体２を外筒体１内に螺進させることができる。
釣り餌Ｕを吐出させ終われば、内筒体２を、外筒体１から螺退させ取外し、かつ、ノズル部材４を、内筒体２のキャップ部２Ｂから取外す。そして、新たな釣り餌Ｕを内筒体２に入れて使用したり、あるいは、内筒体２の内部７、ノズル部材４、ピストン３を、洗浄する。
【００１９】
また、図８に示すように、釣り餌押出器を、座台（釣り台）50の側方に、縦方向へ向けて、固定して使用するのもよい。
図５，図６，図７，図８に於て、52は、釣り餌押出器を座台（釣り台）50に取り付けるための取付部材である。
この取付部材52は、板片をＬ字状に折り曲げて形成したものであり、座台50のスリット50ａに差し込まれる差込部52ａと、カバー部材51の基端面に当接する固着部52ｂと、から成る。固着部52ｂとカバー部材51は、ネジ等を挿入される孔部を有し、夫々の孔部に挿入したネジを、外筒体１の嵌込部17の雌ネジ部17ａに、螺合して固定する。
そして、座台（釣り台）50の側方に固着された金具38のスリット38ａに、取付部材52を差し込むと、釣り餌押出器は、ノズル部材４を上方へ向けた状態で、座台50に取り付けられる。
釣り人は、座った状態で、（他方の手に釣り竿を握ったまま）片手にて、内筒体２のローレット部24を回転させるだけで、釣り餌Ｕを吐出させて手に取ることができる。また、図５〜図７に示した取付部材52の長孔39に丸環付木ネジ等の固着具36にて台木37等に固着しても良い（図８参照）。
また、カバー部材51の基端面に、この取付部材52を取り付けなければ、カバー部材51の基端面を、釣り場や座台50上に載置して、鉛直状に置いておくこともできる。
上記のように、釣り場の状況や釣る際の姿勢に応じて、釣り餌を手に取り易くするように配置できる。
【００２０】
以上のように、本発明に係る釣り餌押出器は、雌ネジ部12を開口内周端面11に有する有底外筒体１と、外筒体１の底壁部13に立設されたシール32付きピストン３と、雌ネジ部12に螺合する雄ネジ部22を外周面21に有して外筒体１内へ螺進退自在に挿入可能であると共に先端に釣り餌Ｕを吐出する孔15を有しピストン３のシール32が内周面23に接触する釣り餌収納用内筒体２と、を具備するので、コンパクトな大きさ・形状なので、釣り場で邪魔にならず、釣り場の状況や釣る際の姿勢に応じて、釣り餌Ｕを手に取り易くするように配置できる。
また、外筒体１に、内筒体２を螺合する構成なので、力を要さずにスムースに回転して釣り餌Ｕを押し出すことができる。
しかも、耐久性を有する構造なので、繰り返して使用しても、劣化せず、スムースな回転で使用し続けられる。
また、釣り餌Ｕは、内筒体２の内周面23とピストン３の先端側とで形成される密閉空間内に保持されるので、外部の空気と光が入り込みにくく、長時間、変質するのを防ぐことができる。
【００２１】
また、ピストン３は、外筒体１に対して回転自在として、内筒体２の螺進退時に内筒体２と共廻りして内周面23に沿って摺動しつつ進退するように構成されているので、ピストン３は、内周面23に沿ってスムースに進退でき、内筒体２を、外筒体１に、楽に螺合することができる。
【００２２】
また、ピストン３は、シール32を有するピストン本体30と、ピストン軸部33とを、一体状に有し、かつ、ピストン軸部33が、摩擦力低減部材９を介して、外筒体１の底壁部13の孔部13ａに、回転自在に取り付けられるので、ピストン３は、基端側へ力を受けているにも拘らず、外筒体１に対して、滑らかに、かつ安定して回転することができる。
よって、簡素な構成ながら、内筒体２を、外筒体１に、楽に螺合することができる。
【００２３】
また、内筒体２が、先端に、キャップ部２Ｂを有すると共に、大小異なる内径Ｄのノズル孔40を有する一揃えのノズル部材４を、着脱交換自在としてキャップ部２Ｂに取り付けられるので、ノズル孔40の内径Ｄの大きさを、容易に変えることができ、釣りたい魚の種類や釣り場の状況に応じて、容易に、所望の量の釣り餌Ｕを吐出させることができる。
【図面の簡単な説明】
【００２４】
【図１】本発明に係る釣り餌押出器の実施の一形態を示す斜視図である。
【図２】一部断面側面図である。
【図３】要部断面側面図である。
【図４】一部断面要部側面図である。
【図５】要部断面側面図である。
【図６】他のピストンを取り付ける状態を示す断面側面図であって、（ａ）は説明用分解断面側面図で、（ｂ）は要部断面側面図である。
【図７】要部斜視図である。
【図８】座台に取り付けた状態を示す一部断面側面図である。
【符号の説明】
【００２５】
１  外筒体
２  内筒体
２Ｂ  キャップ部
３  ピストン
４  ノズル部材
９  摩擦力低減部材
11  開口内周端面
12  雌ネジ部
13  底壁部
13ａ  孔部
15  孔
21  外周面
22  雄ネジ部
23  内周面
30  ピストン本体
32  シール
33  ピストン軸部
40  ノズル孔
Ｄ  内径
Ｕ  釣り餌
【図１】
2005304313.tif 000003
【図２】
2005304313.tif 000004
【図３】
2005304313.tif 000005
【図４】
2005304313.tif 000006
【図５】
2005304313.tif 000007
【図６】
2005304313.tif 000008
【図７】
2005304313.tif 000009
【図８】
2005304313.tif 000010